(57)【要約】      （修正有）【要約】組立分解を気軽且つ迅速に実現できる扇風機を提供する。【解決手段】一つの環状の固定ホルダーと、二つのファンカバーとを含む。環状の固定ホルダーの内壁周縁の両側には別々に一つの接合部が設置され、二つのファンカバーの外周縁には別々に一つの接続環が設置される。接続環は接合部と接合することによって、二つのファンカバーを着脱自在にカバーホルダーに設置させ、カバーホルダーとファンカバーの接続場所には少なくとも一つのロック装置が設置され、ロック装置には一つのロックホルダーと、一つの弾性部材と、それに一つのロック部材とがある。【選択図】図１
0003157119.tif 000002
【実用新案登録請求の範囲】
【請求項１】
一つの環状の固定ホルダーと、二つのファンカバーとがあり、前記環状の固定ホルダーの内壁周縁の両側には別々に一つの接合部が設置され、前記二つのファンカバーの外周縁には別々に一つの接続環が設置され、接続環は接合部と接合することによって、前記二つのファンカバーを着脱自在に前記カバーホルダーに設置させ、カバーホルダーとファンカバーの接続場所には少なくとも一つのロック装置が設置され、前記ロック装置には一つのロックホルダーと、一つの弾性部材と、それに一つのロック部材とがあり、前記ロックホルダーは少なくとも一つの固定部材によって、カバーホルダーの内壁に固定させ、それに、前記ロックホルダーとカバーホルダーの内壁との間は一つの可動空間に形成し、前記弾性部材は伸縮自在に前記可動空間の裏に位置し、その一端はロックホルダーにもたれ、もう一端はロック部材にもたれ、前記ロック部材の両側には別々に一つのファスナーが設置され、その中間部分は一つのボタンに形成し、前記ボタンはカバーホルダーの壁体を通り抜けて外まで延伸し、前記ファスナーをファンカバーの接続環と締め付ける、便利に組立分解するための扇風機。
【請求項２】
前記接合部には少なくとも二つのカバーホルダーの内壁周縁から隆起したクランプ部があり、それぞれのクランプ部には二つの隆起壁があり、前記ファンカバーの接続環とクランプするために、二つの隆起壁の間は一つのクランプ空間に形成するようにしたことを特徴とする、請求項１に記載の便利に組立分解するための扇風機。
【請求項３】
前記クランプ部はカバーホルダーと一体成型するようにしたことを特徴とする、請求項２に記載の便利に組立分解するための扇風機。
【請求項４】
前記ロック装置はカバーホルダーの上端に設置されるようにしたことを特徴とする、請求項１に記載の便利に組立分解するための扇風機。
【請求項５】
前記弾性部材は一つのスプリングであるようにしたことを特徴とする、請求項１或いは請求項２或いは請求項３或いは請求項４のいずれかに記載の便利に組立分解するための扇風機。
【請求項６】
前記ロックホルダーとスプリングとのもたれには一つの柱状突起が設置され、前記ロック部材とスプリングとのもたれにも一つの柱状突起が設置され、前記二つの柱状突起を別々に前記スプリングの両端に挿入するようにしたことを特徴とする、請求項５に記載の便利に組立分解するための扇風機。
【請求項７】
前記固定用部材はネジ、或いはリベットであるようにしたことを特徴とする、請求項１或いは請求項２或いは請求項３或いは請求項４のいずれかに記載の便利に組立分解するための扇風機。
【請求項８】
前記ロック部材のファスナーには一つの水平部と、それに一つの湾曲部とがあり、両者の交角は９０度より小さいようにしたことを特徴とする、請求項１或いは請求項２或いは請求項３或いは請求項４のいずれかに記載の便利に組立分解するための扇風機。
【考案の詳細な説明】
【技術分野】
【０００１】
本実用新案は扇風機に関し、特に便利に組立分解するための扇風機に関する。
【背景技術】
【０００２】
従来の扇風機は扇風機ホルダーと、モーターと、羽根と、羽根前カバーと、羽根後カバーとの組み合わせである。組み立てるとき、羽根後カバーをモーターに固定してから、モーターの伝達軸を羽根の中心ホールに挿入して固定し、そして、羽根カバーの固定環を介して、羽根前カバーを羽根後カバーと固定させる。分解するのは組み立ての手順の逆である。このような扇風機の問題点として、扇風機の洗浄が不便であり、洗浄時間も長くかかることがあげられる。扇風機を洗浄する時、まず羽根カバーの固定環と、羽根前カバーと、羽根と、羽根後カバーとを順番に分解し、洗浄してから、また羽根後カバーと、羽根と、羽根前カバーと、羽根カバーの固定環とを順番に組み立てる。扇風機の組立分解は面倒であるので、人々は長い時間をかけてまでも、扇風機を洗浄したくないと感じる。
【０００３】
ＣＮ２０１１３３３６０Ｙでは一種の便利に組立分解するための扇風機を掲載し、これにはモーターと、羽根後カバーと、羽根と、羽根の固定部材と、羽根前カバーと、羽根カバーの固定環と、それに扇風機の前バッフル板とがあり、羽根後カバーの羽根支持フレームを羽根の中心部の環状円柱の隙間に挿入する。そして、つまみネジを使って、羽根後カバーの固定足をモーターの固定足と固定させる。分解するとき、羽根の固定部材と、それに羽根カバーの固定足とのネジを順番に回して外してから、羽根前カバーと、羽根と、羽根後カバーと、羽根カバーの固定環との全体を外すことができる。前記実用新案に提供した扇風機はある程度改良されたが、組立分解する時、複数個のネジを回して外す必要があり、依然として面倒で、不便で、また、実用性が低い。
【考案の概要】
【考案が解決しようとする課題】
【０００４】
本実用新案の目的として、一種の便利に組立分解するための扇風機を提供し、従来扇風機の組立分解は面倒であるという問題を解決し、ユーザーは迅速且つ便利に扇風機を洗浄できる。
【課題を解決するための手段】
【０００５】
従来技術の不足を解析し、扇風機の組立分解を迅速に仕上げるという目的を達成するために、本実用新案は以下の技術手段を採用した。
【０００６】
便利に組立分解するための扇風機には、一つの環状の固定ホルダーと、二つのファンカバーとがあり、前記環状の固定ホルダーの内壁周縁の両側には別々に一つの接合部が設置され、前記二つのファンカバーの外周縁には別々に一つの接続環が設置され、接続環は接合部と接合することによって、前記二つのファンカバーを着脱自在に前記カバーホルダーに設置させ、カバーホルダーとファンカバーの接続場所には少なくとも一つのロック装置が設置され、前記ロック装置には一つのロックホルダーと、一つの弾性部材と、それに一つのロック部材とがあり、前記ロックホルダーは少なくとも一つの固定部材によって、カバーホルダーの内壁に固定させ、それに、前記ロックホルダーとカバーホルダーの内壁との間は一つの可動空間に形成する。前記弾性部材は伸縮自在に前記可動空間の裏に位置し、その一端はロックホルダーにもたれ、もう一端はロック部材にもたれる。前記ロック部材の両側には別々に一つのファスナーが設置され、その中間部分は一つのボタンに形成し、前記ボタンはカバーホルダーの壁体を通り抜けて外まで延伸し、前記ファスナーをファンカバーの接続環と締め付ける。
【０００７】
もっとも好ましい実施例によれば、前記接合部には少なくとも二つのカバーホルダーの内壁周縁から隆起したクランプ部があり、それぞれのクランプ部には二つの隆起壁があり、前記ファンカバーの接続環とクランプするために、二つの隆起壁の間は一つのクランプ空間に形成する。
【０００８】
さらに、前記クランプ部はカバーホルダーと一体成型する。
【０００９】
もっとも好ましい実施例によれば、前記ロック装置はカバーホルダーの上端に設置される。
【００１０】
もっとも好ましい実施例によれば、前記弾性部材は一つのスプリングである。
【００１１】
もっとも好ましい実施例によれば、前記ロックホルダーとスプリングとのもたれには一つの柱状突起が設置され、前記ロック部材とスプリングとのもたれにも一つの柱状突起が設置され、前記二つの柱状突起を別々に前記スプリングの両端に挿入する。
【００１２】
もっとも好ましい実施例によれば、前記固定用部材はネジで、或いはリベットで、或いは固定機能を有する他の同等部材でもよい。
【００１３】
もっとも好ましい実施例によれば、前記ロック部材のファスナーには一つの水平部と、それに一つの湾曲部とがあり、両者の交角は９０度より小さい。
【００１４】
本実用新案の便利に組立分解するための扇風機を組み立てる時、まずロックホルダーの柱状突起をスプリングに挿入し、そして、ロック部材をスプリングにカバーし、ロック部材の柱状突起をスプリングに挿入させてから、ロック部材のボタンはカバーホルダーの壁体のホールを通り抜ける。また、ロックホルダーと、スプリングと、ロック部材とを固定するために、固定部材を使って、ロックホルダーをカバーホルダーの内壁に固定させる。ファンカバーを組み立てるとき、まずファンカバーの接続環をカバーホルダーの内壁のクランプ部にクランプしてから、ボタンを押して、ロック部材を下へ動かさせるとともに、ファンカバーの接続環をロック部材のファスナーに締め付けてから、ボタンを離し、そして、ロック部材はスプリングの回復力によって回復し、ファンカバーをカバーホルダーに固定させる。ファンカバーを分解するとき、同じようにボタンを押して、ロック部材を下へ動かさせ、ロック部材のファスナーをファンカバーの接続環から外してから、ファンカバーを外へ軽く引いて、ファンカバーの接続環をカバーホルダーのクランプ部から外し、ファンカバーを外すことができる。
【００１５】
以上に述べたように、従来の技術と比べると、本実用新案の便利に組立分解するための扇風機は一つのロック装置によって、扇風機の組立分解を気軽且つ迅速に実現でき、業者の組立速度と、生産効果とを上げて、コストも低下させる。ユーザーが使用するとき、ファンカバーの分解が極めて簡単であるので、ファンカバーと、羽根と、カバーホルダーとのほこりを簡単に洗浄でき、ユーザーが扇風機を洗浄するという考えを増加させる。
【図面の簡単な説明】
【００１６】
【図１】本実用新案の実施形態の一部の分解図を示す。
【図２】本実用新案の実施形態のロック装置の分解図を示す。
【図３】図１のＡ部の拡大図を示す。
【図４】本実用新案の実施形態の一部の組立図を示す。
【図５】本実用新案の実施形態の組立図を示す。
【考案を実施するための形態】
【００１７】
本実用新案の内容をいっそう詳しく説明するために、以下に好ましい実施形態を説明する。
【００１８】
図１に示すように、本実用新案の便利に組立分解するための扇風機には、一つの環状のカバーホルダー１と、二つのファンカバー２とがあり、前記環状のカバーホルダー１の内壁周縁の両側には別々に一つの接合部が設置され、前記二つのファンカバー２の外周縁には別々に一つの接続環２１が設置され、接続環２１は接合部と接合することによって、前記二つのファンカバー２を前記カバーホルダー１に着脱自在に設置させ、ファンカバー２とカバーホルダー１の接続場所には一つのロック装置３が設置される。
【００１９】
図３に示すように、それぞれの接合部には五つのカバーホルダー１の内壁周縁から隆起したクランプ部１１があり、それぞれのクランプ部１１には二つの隆起壁１１１と１１２とがあり、ファンカバー２の接続環２１とクランプするために、二つの隆起壁１１１と１１２との間にはクランプ空間１１３に形成する。ファンカバー２の揺れ動きを防ぐため、前記クランプ空間１１３の大きさは接合環２１のサイズと対応し、そして、接合環２１をクランプ空間１１３にクランプする時、接続環２１とクランプ空間１１３との間には隙間がない。本実施形態には、接合部には五つのクランプ部１１があり、ファンカバー２は環状のカバーホルダー１ときちんとつながるために、五つのクランプ部１１とロック装置３とは環状のカバーホルダー１の内壁周縁に均一に分散する。もちろん、実際に利用する時、別々の接合部にあるクランプ部の数は五つに限定されるのではなく、二つ、三つ、四つ、六つ・・・などでもいい。クランプ部の数がいくつかに関わらず、ファンカバー２は環状のカバーホルダー１ときちんと接続するために、クランプ部１１とロック装置３とは環状のカバーホルダー１の内壁周縁に均一に分散する。
【００２０】
図１と図２に示すように、ロック装置３には一つのロックホルダー３１と、一つのスプリング３２と、それに一つのロック部材３３とがあり、二つのネジはロックホルダー３１の組立ホール３１２を通り抜けてカバーホルダー１の内壁に固定することによって、前記ロックホルダー３１をカバーホルダー１の内壁に固定させる。そして、前記ロックホルダー３１とカバーホルダー１の内壁との間は一つ可動空間に形成する。前記スプリング３２は伸縮自在に前記可動空間の裏に位置し、その一端３２１はロックホルダー３１にもたれ、もう一端３２２はロック部材３３にもたれる。前記ロック部材３３の両側には別々に一つのファスナー３３１が設置され、その中間部分は一つのボタン３３２に形成し、前記ボタン３２２はカバーホルダー１の壁体のホール１２を通り抜けて外まで延伸し、前記ファスナー３３１をファンカバー２の接続環２１と締め付ける。
【００２１】
ロックホルダー３１の四角は上へ突き出て、四つの支柱３１３に形成し、ロックホルダー３１とカバーホルダー１の内壁との間は前記可動空間に形成するために、前記四つの支柱３１３はカバーホルダー１の内壁にもたれる。
【００２２】
ロックホルダー３１とスプリング３２とのもたれには一つの柱状突起３１１が設置され、ロック部材３３とスプリング３２のもたれにも一つの柱状突起が設置され、前記二つの柱状突起を別々にスプリングの両端３１１、３１２に挿入する。前記スプリング３２が伸縮する時、揺れなどの不安定な状態を防ぐために、前記二つの柱状突起のサイズはスプリング３２のサイズと対応する。
【００２３】
ロック部材３３のファスナー３３１には一つの水平部３３１１と、それに一つの湾曲部３３１２とがあり、ファスナー３１１をファンカバー２の接続環２１にきちんと締め付けるために、両者の交角は９０度より小さい。
【００２４】
本実施形態によれば、ネジ３４を固定部材として実際に利用する時、固定部材はネジ、或いはリベット、或いは固定機能を有する他の同等部材でもよい。
【００２５】
本実施形態によれば、ロック装置３はカバーホルダー１の上端に設置される。
【００２６】
本実用新案の便利に組立分解するための扇風機を組み立てる時、まずロックホルダー３１の柱状突起３１１をスプリング３２に挿入し、そして、ロック部材３３をスプリング３２にカバーし、ロック部材３３の柱状突起３１１をスプリング３２に挿入させてから、ロック部材３３のボタン３３２はカバーホルダー１の壁体のホール１２を通り抜ける。ロックホルダー３１と、スプリング３２と、ロック部材３３とを固定するために、ネジ３４はロックホルダー３１の組立ホール３１２を通り抜け、ロックホルダー３１をカバーホルダー１の内壁に固定する。ファンカバー２を組み立てるとき、まずファンカバー２の接続環２１をカバーホルダー１の内壁のクランプ部１１にクランプしてから、ボタン３３２を押して、ロック部材３３を下へ動かせるとともに、ファンカバー２の接続環２１をロック部材３３のファスナー３３１に締め付けてから、ボタン３３２を離し、そして、ロック部材３３はスプリング３２の回復力によって回復し、ファンカバー２をカバーホルダー１に固定させる。ファンカバー２を分解するとき、同じようにボタン３３２を押して、ロック部材３３を下へ動かせ、ロック部材３３のファスナー３３１をファンカバー２の接続環２１から外してから、ファンカバー２を外へ軽く引いて、ファンカバー２の接続環２１をカバーホルダー１のクランプ部１１から外し、ファンカバー２を外すことができる。
【００２７】
図４に示すように、本実用新案の実施形態の一部の組立図を示す。図５に示すように、本実用新案の実施形態の組立図を示す。
【００２８】
本実用新案には、ロック装置３の数は一つに限定されるものではなく、二つ、或いは二つ以上の複数個でもよい。ロック装置３の位置もカバーホルダー１の上端に限るものではなく、カバーホルダー１の側面でもよく、ユーザーが簡単に操作できて、尚且つファンカバー２がカバーホルダー１ときちんとつながればよい。
【００２９】
以上のように、本実用新案による好ましい実施例を開示したが，本実用新案のデザインアイディアはこれに限定されるものではなく，当業者が，本実用新案のアイディアと範囲に基づいて様々に変形させることは可能であり，それらは本実用新案の請求項の保護範囲から排除されるものではない。
【符号の説明】
【００３０】
１  カバーホルダー
１１  クランプ部
１１１  隆起壁
１１２  隆起壁
１１３  クランプ空間
１２  ホール
２  ファンカバー
２１  接続環
３  ロック装置
３１  ロックホルダー
３１１  柱状突起
３１２  組立ホール
３１３  支柱
３２  スプリング
３２１  スプリング端部
３２２  スプリング端部
３３  ロック部材
３３１  ファスナー
３３１１  水平部
３３１２  湾曲部
３３２  ボタン
３４  ネジ
【図１】
0003157119.tif 000003
【図２】
0003157119.tif 000004
【図３】
0003157119.tif 000005
【図４】
0003157119.tif 000006
【図５】
0003157119.tif 000007